(57)【要約】      （修正有）【課題】噴孔部付近のシール部、または排気管用噴射弁の噴孔部周辺を局所的に冷却できる放熱装置を備えた排気管用噴射弁を提供すること。【解決手段】内燃機関の排気管３７に排気管用噴射弁１００のノズルホルダ１４を嵌合し、排気管３７内に噴孔部２７を臨ませて装着し、弁体５を開閉することにより噴孔部２７から還元剤を噴射する排気管用噴射弁の取付部で、排気管用噴射弁１００のノズルホルダ１４の挿着部の先端に、排気管用噴射弁１００の噴孔部２７から噴射する還元剤が衝突する袖部を設けてなる放熱装置３８を設け、ノズルホルダ１４の挿着部の周囲には、冷却装置４５を設けて構成する。【選択図】図４
2006226162.tif 000002
【特許請求の範囲】
【請求項１】
内燃機関の排気管に排気管用噴射弁のノズルホルダを嵌合し、該排気管内に噴孔部を臨ませて装着し、弁体を開閉することにより噴孔部から還元剤を噴射する排気管用噴射弁の取付部において、
前記排気管用噴射弁のノズルホルダの挿着部の先端に、前記排気管用噴射弁の噴孔部から噴射する還元剤が衝突する袖部を設けてなる放熱装置を設けたことを特徴とする排気管用噴射弁の取付部。
【請求項２】
内燃機関の排気管に排気管用噴射弁のノズルホルダを嵌合し、該排気管内に噴孔部を臨ませて装着し、弁体を開閉することにより噴孔部から還元剤を噴射する排気管用噴射弁の取付部において、
前記排気管内で、前記排気管への前記排気管用噴射弁のノズルホルダの挿着部の周囲に、水、油、空気といった冷媒を循環させる管路で構成する冷却装置を設け、前記排気管用噴射弁の放熱を行うようにしたことを特徴とする排気管用噴射弁の取付部。
【請求項３】
請求項２に記載の排気管用噴射弁の取付部において、
前記排気管用噴射弁のノズルホルダの挿着部の先端に、前記排気管用噴射弁の噴孔部から噴射する還元剤が衝突する袖部を設けてなる放熱装置を設けたことを特徴とする排気管用噴射弁の取付部。
【請求項４】
請求項１又は３に記載の排気管用噴射弁の取付部において、前記放熱装置を形成する袖部は、前記排気管用噴射弁の噴孔部から噴霧する還元剤の一部を取り囲むような筒状に形成したことを特徴とする排気管用噴射弁の取付部。
【請求項５】
請求項１又は３に記載の排気管用噴射弁の取付部において、前記放熱装置の袖部は、前記排気管用噴射弁のオリフィスプレートで形成したことを特徴とする排気管用噴射弁の取付部。
【請求項６】
請求項１又は３に記載の排気管用噴射弁の取付部において、前記放熱装置の袖部は、前記排気管の前記排気管用噴射弁のノズルホルダの挿着部の先端で、前記排気管に形成したことを特徴とする排気管用噴射弁の取付部。
【請求項７】
請求項１又は３に記載の排気管用噴射弁の取付部において、前記放熱装置の袖部は、前記排気管と前記排気管用噴射弁とは別体で構成し、前記排気管または前記排気管用噴射弁の噴孔部に取り付け可能に構成したことを特徴とする排気管用噴射弁の取付部。
【請求項８】
請求項７に記載の排気管用噴射弁の取付部において、前記放熱装置の袖部は、前記排気管に用いられる部材より断熱性が優れた材質で構成されていることを特徴とする排気管用噴射弁の取付部。
【請求項９】
請求項７に記載の排気管用噴射弁の取付部において、前記放熱装置の袖部と前記排気管との間には、前記排気管内を流れる排気ガスの流入を防ぐためのシール部材を設けたことを特徴とする排気管用噴射弁の取付部。
【請求項１０】
請求項７に記載の排気管用噴射弁の取付部において、前記放熱装置の袖部と前記排気管との間には、空間を設け、前記排気管用噴射弁の断熱効果を高めたことを特徴とする排気管用噴射弁の取付部。
【発明の詳細な説明】
【技術分野】
【０００１】
本発明は、内燃機関において燃焼した燃料の排気ガスを排気する排気管内に還元剤を噴射するための噴射弁を耐熱温度以下に保持する放熱装置に関するものである。
【背景技術】
【０００２】
従来から、内燃機関における燃焼後の排気ガスを浄化するため排ガス浄化装置が用いられている。この排ガス浄化装置には、排気管用噴射弁を用いて、排気管内に還元剤を噴射する方法が採られている。この排気管用噴射弁としては、エンジン制御ユニットからの電気信号により駆動する電磁式の排気管用噴射弁が用いられている。
【０００３】
この排気管内に還元剤を噴射する排気管用噴射弁から噴射するものは、酸化濃度が低下した時に触媒の活性化を行い、ＮＯｘの発生を減らしデポジット（硫黄堆積物）の発生を防ぐための還元剤であり、この還元剤としては、尿素や軽油等が知られている。この電磁式の排気管用噴射弁は、中空筒型の固定コアの周りに電磁コイルおよびヨークが配置され、電磁コイルを収納するヨークの下部には、弁体を有する可動子を内装したノズルが取り付けられ、この可動子が戻しバネの力を受けて弁座側に付勢される構造となっている。そして、この排気管用噴射弁は、中空円筒で管形状の排気管に取り付けられる。この排気管用噴射弁とその取り付け部の間には排気ガスが外部に流出することを防止するためにシール部材が用いられている。このシール部材は、コスト、組み付け性の面から樹脂又はゴム部材が多く用いられている。
【０００４】
このような排気管用噴射弁は、内燃機関の燃焼室から排気される排気ガスによって高温に曝され、溶損等の損傷を受けないように、排気管内を噴射弁の耐熱温度以下に保持するため、従来、排気管を二重排気管に構成し、内管を強制的に冷却する方法が提案されている（例えば、特許文献１参照。）。この特許文献１は、積極的に冷却するため加圧ポンプ１により加圧した空気を通す管を排気管外周部に設け、内燃機関の排気管２２を内外管２３，２４の二重管で形成して、これらの間に空間部２４を形成し、切替弁３によって、加圧ポンプ１からの加圧空気を、二次空気導入口１２ａと空間部２４の加圧空気導入口３０に選択的に供給するようにした構成となっている。このように特許文献１の場合は、排気管用噴射弁の冷却方法は、周囲の空気を利用して空冷するもので、空間部２４に加圧空気を強制的に流通させて外部へ放出するため、その加圧空気によって内管２３の表面から積極的に熱が奪って外管２４の外へ放出される。
【特許文献１】特開平１０−２８０９４０号（第３〜４頁  図１）
【発明の開示】
【発明が解決しようとする課題】
【０００５】
この特許文献１の場合は、排気管２２と排気管用噴射弁は外部からは冷却される。しかしながら、この特許文献１の構成であっても、排気管２２内に露出する排気管用噴射弁の噴孔部は、直接排気管２２内で高温の排気ガスに曝されることになる。このため、常に高温状態に保たれている。この排気管用噴射弁の噴孔部が高温にさらされたまま還元剤（液体）を噴射し続けると、還元剤（液体）中の成分が固化・固着して、デポジットと称する堆積物が蓄積していくことが知られている。その結果、排気管用噴射弁の噴孔部の噴孔面積がデポジット（堆積物）によって埋められて還元剤の噴射量の減少や噴霧形状の変化が起こり、燃料の制御が困難となるという問題があった。
【０００６】
また、この特許文献１では、冷却が不十分であるために、排気管用噴射弁の噴孔付近に取り付けるシール部材に、安価で伸縮性のある樹脂やゴムを用いることができないという問題があった。
【０００７】
さらに、高温の排ガスが内管を加熱して内管がその耐熱限界に近いほど高温となるエンジンの高負荷時の場合は、熱による排気管用噴射弁の溶解や、開閉弁する機能を害するような噴射弁そのものの変形を生じる恐れもあることから、排気管用噴射弁の取り付け位置には、制約があり、これらの問題を解決するため排気管用噴射弁と、特に高温にさらられる排気管用噴射弁の噴孔部付近の冷却が要望されている。
【０００８】
本発明の目的は、噴孔部付近のシール部、または排気管用噴射弁の噴孔部周辺を局所的に冷却できる放熱装置を備えた排気管用噴射弁を提供することを目的とする。
【課題を解決するための手段】
【０００９】
請求項１に記載の排気管用噴射弁の取付部は、内燃機関の排気管に排気管用噴射弁のノズルホルダを嵌合し、該排気管内に噴孔部を臨ませて装着し、弁体を開閉することにより噴孔部から還元剤を噴射する排気管用噴射弁の取付部において、
前記排気管用噴射弁のノズルホルダの挿着部の先端に、前記排気管用噴射弁の噴孔部から噴射する還元剤が衝突する袖部を設けてなる放熱装置を設けたことを特徴とするものである。
【００１０】
請求項２に記載の排気管用噴射弁の取付部は、内燃機関の排気管に排気管用噴射弁のノズルホルダを嵌合し、該排気管内に噴孔部を臨ませて装着し、弁体を開閉することにより噴孔部から還元剤を噴射する排気管用噴射弁の取付部において、
前記排気管内で、前記排気管への前記排気管用噴射弁のノズルホルダの挿着部の周囲に、水、油、空気といった冷媒を循環させる管路で構成する冷却装置を設け、前記排気管用噴射弁の放熱を行うようにしたことを特徴とするものである。
【００１１】
請求項３に記載の排気管用噴射弁の取付部は、請求項２において、前記排気管用噴射弁のノズルホルダの挿着部の先端に、前記排気管用噴射弁の噴孔部から噴射する還元剤が衝突する袖部を設けてなる放熱装置を設けたことを特徴とするものである。
【００１２】
請求項４に記載の排気管用噴射弁の取付部は、請求項１又は３において、前記放熱装置を形成する袖部を、前記排気管用噴射弁の噴孔部から噴霧する還元剤の一部を取り囲むような筒状に形成したことを特徴とするものである。
【００１３】
請求項５に記載の排気管用噴射弁の取付部は、請求項１又は３において、前記放熱装置の袖部を、前記排気管用噴射弁のオリフィスプレートで形成したことを特徴とするものである。
【００１４】
請求項６に記載の排気管用噴射弁の取付部は、請求項１又は３において、前前記放熱装置の袖部を、前記排気管の前記排気管用噴射弁のノズルホルダの挿着部の先端で、前記排気管に形成したことを特徴とするものである。
【００１５】
請求項７に記載の排気管用噴射弁の取付部は、請求項１又は３において、前記放熱装置の袖部を、前記排気管と前記排気管用噴射弁とは別体で構成し、前記排気管または前記排気管用噴射弁の噴孔部に取り付け可能に構成したことを特徴とするものである。
【００１６】
請求項８に記載の排気管用噴射弁の取付部は、請求項７において、前記放熱装置の袖部を、前記排気管に用いられる部材より断熱性が優れた材質で構成されていることを特徴とするものである。
【００１７】
請求項９に記載の排気管用噴射弁の取付部は、請求項７において、前記放熱装置の袖部と前記排気管との間に、前記排気管内を流れる排気ガスの流入を防ぐためのシール部材を設けたことを特徴とするものである。
【００１８】
請求項１０に記載の排気管用噴射弁の取付部は、請求項７において、前記放熱装置の袖部と前記排気管との間に、空間を設け、前記排気管用噴射弁の断熱効果を高めたことを特徴とするものである。
【発明の効果】
【００１９】
本発明に係る排気管用噴射弁の取付部によると、噴孔部付近のシール部、または排気管用噴射弁の噴孔部周辺を局所的に冷却することができる。
【発明を実施するための最良の形態】
【００２０】
本発明は、内燃機関の排気管に排気管用噴射弁のノズルホルダを嵌合し、排気管内に噴孔部を臨ませて装着し、弁体を開閉することにより噴孔部から還元剤を噴射する排気管用噴射弁の取付部で、排気管用噴射弁のノズルホルダの挿着部の先端に、排気管用噴射弁の噴孔部から噴射する還元剤が衝突する袖部を設けてなる放熱装置を設けることによって実現する。
【００２１】
また、本発明は、内燃機関の排気管に排気管用噴射弁のノズルホルダを嵌合し、排気管内に噴孔部を臨ませて装着し、弁体を開閉することにより噴孔部から還元剤を噴射する排気管用噴射弁の取付部で、排気管内の、排気管への排気管用噴射弁のノズルホルダの挿着部の周囲に、水、油、空気といった冷媒を循環させる管路で構成する冷却装置を設け、排気管用噴射弁の放熱を行うことによって実現する。
【実施例１】
【００２２】
以下、本発明に係る排気管用噴射弁の取付部の実施例について説明する。
【００２３】
図１〜図４には、本発明に係る排気管用噴射弁の取付部の実施例が示されている。
【００２４】
図１は本発明の実施例の排気管用噴射弁として用いられる電磁式燃料噴射弁の全構成を示す縦断面図、図２は図１に図示の電磁式燃料噴射弁のオリフィスプレートと可動子の先端部の構成を示す拡大図、図３は図１に図示の電磁式燃料噴射弁の取付周辺の排気管の断面図、図４は本発明に係る排気管用噴射弁の取付部の実施例を示す断面図である。
【００２５】
図１には、本発明の実施例の排気管用噴射弁として用いられる電磁式燃料噴射弁の全体構成が示されている。この図１に図示の排気管用噴射弁（電磁式燃料噴射弁）では、還元剤として噴射する液体を燃料としているが、尿素等の還元剤を噴射する場合も同様である。
【００２６】
また、この図１に図示の排気管用噴射弁として用いられる電磁式燃料噴射弁１００は、弁体５の開弁時に電磁式燃料噴射弁１００本体の上部から燃料が流入し、軸方向に流れて、電磁式燃料噴射弁１００の下端に設けたオリフィス２７より燃料が噴射される構成のいわゆるトップフィード式の構成となっている。
【００２７】
図１において、電磁式燃料噴射弁１００の軸方向の燃料通路は、主として、燃料導入のための中空筒型に形成される固定コア１と、外周にテーパを有する中空のノズルハウジング１３と、このノズルハウジング１３に装着されるノズルホルダ１４と、このノズルホルダ１４に装着される弁座付きのオリフィスプレート１６とを各要素として構成されている。
【００２８】
この燃料通路の組立体の内部には、円筒型の可動コア１０と、この可動コア１０に固定される細長の弁体５と、ジョイント１１と、開弁した弁体５を閉方向に移動する戻しバネ７と、Ｃリングピン６等が組み込まれている。この可動コア１０と、弁体５と、ジョイント１１とは結合され、可動子１２が構成されている。また、ジョイント１１は、可動コア１０と弁体５の間に介在する中間要素として設けられている。また、戻しバネ７は、可動子１２をオリフィスプレート１６の弁座１６ａ側（図２に図示）に付勢している。
【００２９】
この固定コア１とシールリング１９とを圧入嵌合する位置の外周には、電磁コイル２が配置されており、その外側には、ヨーク４が固定コア１に圧入嵌合されている。このヨーク４の下端部は、ノズルハウジング１３と溶接結合されており、電磁コイル２を収納する組立体が構成されている。
【００３０】
このように構成されている電磁式燃料噴射弁１００では、電磁コイル２に通電すると、ヨーク４、固定コア１、可動コア１０、ノズルハウジング１３により磁気回路が形成される。この磁気回路によって、可動コア１０は、戻しバネ７の力に抗して固定コア１側に吸引され、開弁動作が行われる。その後、電磁コイル２の通電を止めると、可動コア１０は、戻しバネ７の付勢力によって固定コア１側から離れる方向に押圧され、可動子１２がオリフィスプレート１６の弁座１６ａに当接して弁が閉じるように作動する（閉弁動作）。本実施例においては、固定コア１の下端面が、開弁動作時に可動子１２を受け止めるストッパとしての役割を果たしている。
【００３１】
また、図１に図示のノズルホルダ１４のロングノズル部１４ｂの外周には、シール部材取り付け用の溝１４ｃが設けられている。この溝１４ｃには、シール部材２６が装着されている。このシール部材２６としては、コストや組み付け性の面から樹脂またはゴム部材を用いることが多い。
【００３２】
図２には、電磁式燃料噴射弁１００の先端に取り付けられているオリフィスプレート１６の断面図が示されている。このオリフィスプレート１６は、例えば、ステンレス系の円板状のチップにより形成されており、このオリフィスプレート１６の中央部には、オリフィスプレート１６を貫通して形成される噴射孔（オリフィス）２７が設けられている。この噴射孔２７の穴径は、必要とされる燃料の噴射量や噴霧形状により決められる。また、そのオリフィスプレート１６続く上流部には、すり鉢状に形成される弁座１６ａが形成されている。
【００３３】
図３には、燃料の吸入から排気までの経路における排気管への図１に図示の電磁式燃料噴射弁１００を取り付ける位置が模式化して示されている。この図３においては、ＥＧＲバルブや、各種センサ等の配置を省略してある。
【００３４】
図３において、吸入空気３１は、燃焼室３４へ吸入されて燃料とともに動力を発生した後、排気管入口３５から排気ガス３２として排気管３７に排出される。この排気管入口３５から排気管３７に取り付けられている触媒３６との間の排気管３７には、還元剤を噴射することができる電磁式燃料噴射弁１００が取り付けられている。この触媒３６は、電磁式燃料噴射弁１００の数に対応した数（単体もしくは複数）設けられている。この触媒３６によって浄化された排気ガスは、大気中に開放される。
【００３５】
この還元剤を必要とする触媒３６について、排気ガス中の窒素酸化物（以下ＮＯｘと称する）を浄化するためのＮＯｘ吸蔵還元触媒として還元剤の役割について説明する。このＮＯｘ吸蔵還元触媒は、触媒にＮＯｘを一旦硝酸塩（例えば、ＡｇＮＯ３）の形で吸蔵させて、排気ガス中の成分と化学反応させて浄化する。触媒に吸蔵された硝酸塩（例えば、ＡｇＮＯ３）を酸化還元反応により公害の原因となりにくい窒素等として排気ガス中に放出するものである。
【００３６】
ディーゼルエンジンやリーンバーンエンジンのような排気ガス中に酸化還元反応を起こす成分の濃度が常に低い内燃機関の場合は、酸化還元反応を促進するために排気ガス中へ還元剤を噴射する方法がある。しかし、触媒を用いる場合、排気ガス中の硫黄分を硫化物として吸蔵し続けることで浄化能力が低減していく被毒劣化と呼ばれる現象が起こる。この排気ガス中へ還元剤を噴射する方法の場合、還元剤は、吸蔵された硫化物を酸化還元反応により触媒から排除し、触媒の浄化能力を回復させることで被毒劣化を防止することができる。この２種類の酸化還元反応には、一定以上の温度が必要であり、デポジットの堆積やシール部材に樹脂やゴムを使用できる程度の温度まで排気管３７全体を冷却すると、酸化還元反応ができなくなるので、排気管３７全体をデポジットの堆積やシール部材に樹脂やゴムを使用できる程度の温度まで冷却することはできない。
【００３７】
また、別の形態では触媒３６が、すすを捕集するためのフィルタに用いられる場合がある。このすすによってフィルタが詰まった場合、排気管内圧力が高まったり、フィルタに詰まったすすが一度に燃焼して１０００℃を越す高温になり、フィルタが融解する恐れがある。このようなフィルタの詰まりを防ぐため、すすの燃焼反応を触媒により通常より低い温度で起きるようにした上で、すすの燃焼を補助する燃料等の添加剤を噴射する排気ガス浄化装置が知られている。このように触媒を用いても、燃焼反応には一定以上の温度が必要であり、デポジットの堆積やシール部材に樹脂やゴムを使用できる程度の温度まで排気管全体を冷却することはできない。
【００３８】
図４には、本発明に係る排気管用噴射弁の取付部の第１の実施例が示されている。図４は、図３に図示の電磁式燃料噴射弁１００のの取り付け部の断面図である。
【００３９】
図４において、オリフィスプレート１６には、噴射孔（オリフィス）２７が設けられている。この噴射孔（オリフィス）２７出口とオリフィスプレート１６の下流側の面における噴射孔（オリフィス）２７出口部周辺には、噴射孔（オリフィス）２７から燃料を噴射中に高温にさらられることによってデポジットが堆積する。
【００４０】
噴射孔（オリフィス）２７出口部にデポジットが堆積した場合には、見かけ上は噴射孔（オリフィス）２７の穴径が狭くなり、噴射量の低下や噴霧形状の変化をもたらす。また、オリフィスプレート１６の下流側の面における噴射孔（オリフィス）２７出口部周辺で、噴射孔（オリフィス）２７を覆うようにデポジットが堆積した場合においても、見かけ上の噴射孔（オリフィス）２７の穴径が狭くなる。
【００４１】
図４において、排気管３７内で、排気管３７への電磁式燃料噴射弁（排気管用噴射弁）１００のノズルホルダ１４の挿着部の周囲には、冷却装置４５が設けられている。この冷却装置４５は、電磁式燃料噴射弁（排気管用噴射弁）１００のノズルホルダ１４の挿着部の周囲に空気、水、オイル等の冷媒を循環する管路で構成されている。この冷却装置４５は、電磁式燃料噴射弁（排気管用噴射弁）１００のノズルホルダ１４の挿着部の周囲に空気、水、オイル等の冷媒を循環することによって電磁式燃料噴射弁１００のノズルホルダ１４の挿着部の周囲の放熱を行うことができる。
【００４２】
図４に図示の冷却装置４５は、気化熱を利用した構造を冷却装置としたが、空気、水、オイル等の冷媒の循環による放熱や、その他の放熱方法と組み合わせて放熱装置としてもよい。この場合、図４に示すように排気管３７に冷媒通路によって構成される冷却装置４５を設けて冷媒を循環させることでシール部材２６や噴孔４０を冷却する装置と組み合わせると効果的である。
【実施例２】
【００４３】
図４には、本発明に係る排気管用噴射弁の取付部の第２の実施例が示されている。図４は、図３に図示の電磁式燃料噴射弁１００の取り付け部の断面図である。
【００４４】
図４において、オリフィスプレート１６には、噴射孔（オリフィス）２７と噴孔４０が設けられている。この噴孔４０には、噴射孔（オリフィス）２７から燃料を噴射中に高温に曝されることによってデポジットが堆積する。
【００４５】
噴射孔（オリフィス）２７出口部にデポジットが堆積した場合には、見かけ上は噴射孔（オリフィス）２７の穴径が狭くなり、噴射量の低下や噴霧形状の変化をもたらす。また、オリフィスプレート１６の下流側の面における噴射孔（オリフィス）２７出口部周辺で、噴射孔（オリフィス）２７を覆うようにデポジットが堆積した場合においても、見かけ上の噴射孔（オリフィス）２７の穴径が狭くなる。
【００４６】
そこで、噴孔４０は、オリフィスプレート１６と排気管３７と連通して、排気管３７の壁面に設けられている。そして、噴孔４０を冷却するために電磁式燃料噴射弁１００のノズルホルダ１４の挿着部の先端に、電磁式燃料噴射弁１００の噴射孔（オリフィス）２７から噴射された還元剤の噴霧３９の外周部分である噴霧３９ａが衝突する袖部を設けてなる放熱装置３８が形成されている。この図４に示す放熱装置３８は、排気管３７と一体的に形成されている。
【００４７】
このようにして形成される電磁式燃料噴射弁１００の噴射孔（オリフィス）２７から噴射された燃料の噴霧３９の外周部分である噴霧３９ａは、排気ガス３２により昇温した放熱装置３８と衝突して気化する。この放熱装置３８と衝突して気化した燃料の気化熱により放熱装置３８は、冷却される。この放熱装置３８は、排気ガス３２の温度を積極的に冷却することなく放熱装置周辺の噴孔４０を冷却することができる。
【実施例３】
【００４８】
図５（ａ）には、本発明に係る排気管用噴射弁の取付部の第３の実施例が示されている。
【００４９】
図５（ａ）において、本実施例は、噴孔４０を冷却するために電磁式燃料噴射弁１００のノズルホルダ１４の挿着部の先端に、電磁式燃料噴射弁１００の噴射孔（オリフィス）２７から噴射された還元剤の噴霧３９の外周部分である噴霧３９ａが衝突する袖部を設けてなる冷却装置４２を排気管３７と別体で形成したものである。
【００５０】
この図５（ａ）に図示の冷却装置４２のように、冷却装置４２を排気管３７と別体で形成した場合、排気管３７と別体で形成した冷却装置４２の形状は、電磁式燃料噴射弁１００を排気管に取り付ける際に、電磁式燃料噴射弁１００と同時に装着できるはめ込み式になっている。そのため、排気管３７の外周側に向かって径を広くし、段差を持ったフランジ形状とすると装着性がよい。冷却装置４２と排気管３７の間には排気ガスをシールするシール部材４３が用いられている。
【００５１】
また、図５（ａ）に図示の冷却装置４２のように、冷却装置４２を排気管３７と別体で形成した場合、冷却装置４２の材質を周囲の材質を変えると、周囲からの熱を遮断する断熱材として用いることもできる。また、図４に図示の放熱装置３８のように、排気管３７と一体である場合に比べて、冷却装置４２による冷却効果をシール部材２６や噴孔４０へ効率的にもたらすことができる。そのため、別体とした場合の冷却装置４２の材質は、断熱性があり、冷却装置４２による冷却効果を噴孔４０やシール部材２６へ伝えやすいものがよく、セラミックやステンレスが挙げられる。
【実施例４】
【００５２】
図５（ｂ）には、本発明に係る排気管用噴射弁の取付部の第４の実施例が示されている。
【００５３】
図５（ｂ）において、本実施例は、噴孔４０を冷却するために電磁式燃料噴射弁１００のノズルホルダ１４の挿着部の先端に、電磁式燃料噴射弁１００の噴射孔（オリフィス）２７から噴射された還元剤の噴霧３９の外周部分である噴霧３９ａが衝突する袖部を設けてなる冷却装置４２を排気管３７と別体で形成し、冷却装置４２と排気管３７の間に間隙４４を形成したものである。
【００５４】
この図５（ｂ）に図示の実施例は、間隙４４を設けることによって、この間隙４４が断熱材の役割を果たしている。このように構成することにより、図５（ｂ）に図示の実施例によれば、間隙４４によって冷却装置４２による噴孔４０とシール部材２６への冷却効果を損なうことなく、冷却装置４２の排気管３７からの断熱効果を高めることができる。
【実施例５】
【００５５】
図６には、本発明に係る排気管用噴射弁の取付部の放熱装置３８の形状を特定した実施例について説明する。
【００５６】
図６（ａ）には、本発明に係る排気管用噴射弁の取付部の第５の実施例が示されている。
【００５７】
図６（ａ）において、放熱装置３８ａの形態は、図４で示す放熱装置３８で用いている。この図６（ａ）に図示の放熱装置３８ａは、電磁式燃料噴射弁１００から噴射された燃料の噴霧３９が冷却装置３８ａと衝突する部位を有するように、電磁式燃料噴射弁１００の下流側に円柱状の空間を設けた円筒状の壁面形状となっている。
【実施例６】
【００５８】
図６（ｂ）には、本発明に係る排気管用噴射弁の取付部の第６の実施例が示されている。
【００５９】
図６（ｂ）において、放熱装置３８ｂの形態は、壁面形状を多角形に形成されている。この図６（ｂ）に図示の放熱装置３８ｂのように壁面部を多角形とした場合は、電磁式燃料噴射弁１００が高温の排気ガスに直接触れる面積を放熱装置３８ａより小さく、同時に放熱装置３９ａより多くの燃料衝突面積を確保することが可能となる。
【実施例７】
【００６０】
図６（ｃ）には、本発明に係る排気管用噴射弁の取付部の第７の実施例が示されている。
【００６１】
図６（ｃ）において、放熱装置３８ｃの形態は、燃料噴霧３９の下流側へ向かって広がるテーパ形状に形成されている。この図６（ｃ）に図示の放熱装置３８ｃのように構成すると、噴霧３９の進行を妨げることなく、電磁式燃料噴射弁１００が高温の排気ガスに直接触れる面積を最小限に抑える構成とすることができる。その他にも放熱装置と噴霧との衝突壁面に凹凸を有することで噴霧の衝突面積を増加させても良い。
【実施例８】
【００６２】
図６（ｄ）には、本発明に係る排気管用噴射弁の取付部の第８の実施例が示されている。
【００６３】
図６（ｄ）において、放熱装置３８ｄの形態は、放熱装置３８ｄを噴射弁１００と一体化させて形成したものである。この図６（ｄ）に図示の放熱装置３８ｄの場合にも、図６（ａ）〜図６（ｃ）に図示の放熱装置ａ〜ｃの形状の形態に構成してもよい。
【００６４】
図６（ａ）〜図６（ｄ）に図示のような放熱装置とした場合、噴孔４０周囲の壁面により噴射した燃料がたまり、噴射弁の噴射性能を低下させる恐れがある。このような燃料たまりを回避するため電磁式燃料噴射弁１００はその軸を水平か、噴孔４０が地に向かうように傾けて設置すると良い。
【図面の簡単な説明】
【００６５】
【図１】本発明の実施例の排気管用噴射弁として用いられる電磁式燃料噴射弁の全構成を示す縦断面図である。
【図２】図１に図示の電磁式燃料噴射弁のオリフィスプレートと可動子の先端部の構成を示す拡大図である。
【図３】図１に図示の電磁式燃料噴射弁の取付周辺の排気管の断面図である。
【図４】本発明に係る排気管用噴射弁の取付部の実施例を示す断面図である。
【図５】図５は本発明に係る排気管用噴射弁の取付部の実施例を示す図である。
【図６】本発明に係る排気管用噴射弁の取付部の放熱装置の形状を特定した実施例を示すノズルホルダ部詳細図である。
【符号の説明】
【００６６】
１………………固定コア
２………………電磁コイル
４………………ヨーク
６………………Ｃリングピン
７………………戻しばね
１０……………可動コア
１１……………ジョイント
１２……………可動子
１３……………ノズルハウジング
１４……………ノズルホルダ
１６……………オリフィスプレート
１９……………シールリング
３６……………触媒
３８……………放熱装置
４０……………噴孔
４２……………冷却装置
１００…………噴射弁
【図１】
2006226162.tif 000003
【図２】
2006226162.tif 000004
【図３】
2006226162.tif 000005
【図４】
2006226162.tif 000006
【図５】
2006226162.tif 000007
【図６】
2006226162.tif 000008